(57)【要約】    【課題】片手で簡単に把持できる紙製カップホルダーを提供する。    【解決手段】カップ１を着脱可能に装着する装着孔１１を有する平板からなるホルダー本体１０を備え、該ホルダー本体１０の対向する辺に一対の連続部１２を突設するとともに、これら連続部１２の側縁にそれぞれ連続する取っ手１４を設け、該取っ手１４と前記連続部１２との境界部分に折曲線１５を設けた構成とする。【選択図】図１
2005074087.tif 000002
【特許請求の範囲】
【請求項１】
カップを着脱可能に装着する装着孔を有する平板からなるホルダー本体を備え、該ホルダー本体の対向する辺に一対の連続部を突設するとともに、これら連続部の側縁にそれぞれ連続する取っ手を設け、該取っ手と前記連続部との境界部分に折曲線を設けたことを特徴とする紙製カップホルダー
【請求項２】
前記ホルダー本体と連続部との境界部分に折曲線を設け、
前記取っ手は、前記連続部と連続するとともに該連続部の先端縁と連続する縁を有する略三角形状の第１屈曲部と、該第１屈曲部の傾斜した縁に連続するとともに該第１屈曲部と合わせて略矩形状をなす第２屈曲部と、該第２屈曲部の縁に連続する略Ｌ字形状の第３屈曲部と、両側の該第３屈曲部と連続する把持部とからなり、これらの各境界部分に折曲線を設けたものであることを特徴とする請求項１に記載の紙製カップホルダー。
【発明の詳細な説明】
【技術分野】
【０００１】
本発明は、カップに注がれた飲料を運ぶための紙製カップホルダーに関する。
【背景技術】
【０００２】
図４に示すように、従来のカップホルダー２としては、逆円錐台形状をなすカップ１を収容する円形状をなす複数の装着孔２ａを備えた略矩形状の平板からなる紙製または樹脂製のものが提供されている。
【発明の開示】
【発明が解決しようとする課題】
【０００３】
しかしながら、紙製のカップホルダー２は、飲料を注いだカップ１の荷重に耐え得る剛性を備えていないため、両手で所定の縁を把持する必要があり、利便性が悪いという問題がある。なお、この紙製のカップホルダー２では、片手で把持できるようにするために、一対の把持孔３を設けたものも提供されているが、この場合、全ての装着孔２ａにカップ１を装着した状態では、装着したカップ１の開口縁が上方に突出しているため、把持できない場合もある。
【０００４】
また、樹脂製のカップホルダー２は、紙製のものと比較すると剛性が高いため、片手で希望の縁を把持して運ぶことが可能であるが、リサイクルおよび廃棄が面倒であるという問題がある。
【０００５】
そこで、本発明では、片手で簡単に把持できる紙製カップホルダーを提供することを課題とするものである。
【課題を解決するための手段】
【０００６】
前記課題を解決するため、本発明の紙製カップホルダーは、カップを着脱可能に装着する装着孔を有する平板からなるホルダー本体を備え、該ホルダー本体の対向する辺に一対の連続部を突設するとともに、これら連続部の側縁にそれぞれ連続する取っ手を設け、該取っ手と前記連続部との境界部分に折曲線を設けた構成としている。
【０００７】
この紙製カップホルダーでは、前記ホルダー本体と連続部との境界部分に折曲線を設け、前記取っ手は、前記連続部と連続するとともに該連続部の先端縁と連続する縁を有する略三角形状の第１屈曲部と、該第１屈曲部の傾斜した縁に連続するとともに該第１屈曲部と合わせて略矩形状をなす第２屈曲部と、該第２屈曲部の縁に連続する略Ｌ字形状の第３屈曲部と、両側の該第３屈曲部と連続する把持部とからなり、これらの各境界部分に折曲線を設けることが好ましい。
【発明の効果】
【０００８】
本発明の紙製カップホルダーでは、一対の取っ手を折り曲げて、それぞれの先端を突き合わせた状態とすることにより、片手で簡単にカップを装着したホルダー本体を把持できる。また、紙製であるためリサイクルおよび廃棄が簡単である。さらに、この紙製カップホルダーは、連続部の側縁に凹字形状の取っ手を連設した構成であるため、ブランクの全体形状はホルダー本体より一回り大きいだけの形状をなし、その使用面積も少なく、コスト高になることを防止できる。
【０００９】
さらに、前記取っ手は、第１屈曲部と、第２屈曲部と、第３屈曲部と、把持部とからなる構成としているため、各把持部を重畳させることが可能になり、把持した状態での把持感覚および作業性を向上できる。具体的には、この構成の場合、まず、連続部がホルダー本体に対して上向きに傾斜し、第１屈曲部が連続部に対して外向きに広がるように傾斜する。また、第２屈曲部が第１屈曲部に対して内向きに傾斜し、第３屈曲部が第２屈曲部に対して更に内向きに傾斜する。さらに、この第３屈曲部に対して把持部が屈曲することにより、各把持部を重畳させることができる。そして、各屈曲部は、ホルダー本体に装着したカップの荷重を垂直方向に作用させるのではなく、各方向に分散させるように作用するため、カップホルダーを構成する各平面の歪みを防止できるとともに、局部的な荷重の集中を防止して紙の破断を防止できる。
【発明を実施するための最良の形態】
【００１０】
以下、本発明の実施の形態を図面に従って説明する。
【００１１】
図１から図３は、本発明の実施形態に係る紙製カップホルダーを示す。このカップホルダーは段ボール紙を打ち抜くことにより形成したもので、大略、ホルダー本体１０と、一対の連続部１２と、一対の取っ手１４とからなり、これらを切断線１６と折曲線１３，１５とで区画した略矩形状の平板からなる。
【００１２】
図３に示すように、前記ホルダー本体１０は、従来と同様に、カップ１を着脱可能に装着する円形状をなす複数の装着孔１１を設けた略矩形状の平板からなる。本実施形態では、２行３列で合計６個の装着孔１１が形成されている。
【００１３】
前記連続部１２は、前記ホルダー本体１０において、対向する長辺の中央から突設した横長の長方形状のもので、前記ホルダー本体１０との境界部分には罫を入れて形成した第１折曲線１３が設けられている。即ち、連続部１２は、ホルダー本体１０との連続部分を長く設定し、その連続（境界）部分に加わる荷重による破断を防止している。
【００１４】
前記取っ手１４は、前記連続部１２の側縁にそれぞれ連続する略凹字形状のもので、前記連続部１２との境界部分には第２折曲線１５が設けられている。この取っ手１４は、前記ホルダー本体１０の外周縁に沿って形成されており、該ホルダー本体１０との境界部分に切断線１６を設けることにより、該ホルダー本体１０と区画されている。
【００１５】
具体的には、本実施形態の取っ手１４は、第１屈曲部１７と、第２屈曲部１８と、第３屈曲部２０と、把持部２２とからなる。前記第１屈曲部１７は前記連続部１２と連続し、該連続部１２の先端縁１２ａと直線的に連続する縁１７ａを有する略三角形状のものである。前記第２屈曲部１８は、前記第１屈曲部１７の傾斜した縁に連続する略三角形状のもので、前記第１屈曲部１７と合わせて略矩形状をなすように構成されている。そして、この第２屈曲部１８と第１屈曲部１７との境界部分には第３折曲線１９が設けられている。前記第３屈曲部２０は、前記第２屈曲部１８の側縁に連続する略Ｌ字形状のもので、前記第２屈曲部１８との境界部分には第４折曲線２１が設けられている。前記把持部２２は、両側から延びた第３屈曲部２０と連続するもので、これら第３屈曲部２０との境界部分には第５折曲線２３が設けられている。
【００１６】
本実施形態では、ホルダー本体１０、連続部１２および取っ手１４の全てが交差する隅部、即ち、切断線１６および折曲線１３，１５，１９が交差する部分には、荷重の集中および折り曲げによる歪みに伴う破断を防止するために円形状の打抜部２４が設けられている。また、取っ手１４において、各屈曲部１７，１８，２０の全てが交差する部分、即ち、折曲線１９，２１が交差する部分には、折り曲げによる歪みに伴う破断を防止するために略Ｖ字形状の切取部２５が設けられている。さらに、前記取っ手１４の把持部２２には、ユーザが把持した感覚を向上するために、手の親指を除く４本の指が嵌る４つの窪み２６ａを備えた把持溝２６が設けられている。
【００１７】
このように構成したカップホルダーのブランクは、連続部１２の側縁に凹字形状の取っ手１４を連設した構成であるため、ブランクの全体形状はホルダー本体１０より一回り大きいだけの矩形状をなす。そのため、打抜屑などのロスの発生も殆どないうえ、その使用面積も少ないため、コスト高になることを防止できる。また、紙製であるため、リサイクルおよび廃棄が簡単である。
【００１８】
また、このカップホルダーを使用する場合には、図２（Ａ），（Ｂ）に示すように、一対の取っ手１４を折り曲げて、それぞれの先端の把持部２２を突き合わせた状態とすることにより、装着孔に装着したカップ１の開口縁などと干渉することなく、片手で簡単にホルダー本体１０を把持できる。
【００１９】
しかも、本実施形態の取っ手１４は、第１屈曲部１７と、第２屈曲部１８と、第３屈曲部２０と、把持部２２とからなるため、このカップホルダーを組み立てると、図１（Ｂ）に示すように、連続部１２がホルダー本体１０に対して上向きに傾斜し、第１屈曲部１７が連続部１２に対して外向きに広がるように傾斜する。また、第２屈曲部１８が第１屈曲部１７に対して内向きに傾斜し、第３屈曲部２０が第２屈曲部１８に対して更に内向きに傾斜する。さらに、この第３屈曲部２０に対して把持部２２が屈曲することにより、各把持部２２を重畳させることができる。そのため、この把持部２２を把持した状態での感覚および持ち運び作業性を向上できる。
【００２０】
また、各屈曲部１７，１８，２０は、それぞれ異なる方向に延びるように屈曲されるため、ホルダー本体１０に装着したカップ１の総荷重を垂直方向に作用させるのではなく、各方向に分散させるように作用する。その結果、カップホルダーを構成する各平面、即ち、連続部１２および取っ手１４などの構成面の歪みを防止できるとともに、局部的な荷重の集中を防止して紙の破断を防止できる。
【００２１】
なお、本発明の紙製カップホルダーは、前記実施形態の構成に限定されるものではなく、種々の変更が可能である。
【００２２】
例えば、前記実施形態では、連続部１２をホルダー本体１０における長辺から突設したが、短辺の側から突設してもよい。また、ホルダー本体１０に形成する装着孔１１の数および配列は、希望に応じて種々の変更が可能である。
【図面の簡単な説明】
【００２３】
【図１】本発明の実施形態に係るカップホルダーを示し、（Ａ）は組立前の斜視図、（Ｂ）は組立後の斜視図である。
【図２】（Ａ），（Ｂ）はカップを装着する状態を示す斜視図である。
【図３】カップホルダーのブランクを示す平面図である。
【図４】従来のカップホルダーを示す斜視図である。
【符号の説明】
【００２４】
１…カップ                          １０…ホルダー本体
１１…装着孔                        １２…連続部
１２ａ…先端縁                      １３…第１折曲線
１４…取っ手                        １５…第２折曲線
１７…第１屈曲部                    １７ａ…縁
１８…第２屈曲部                    １９…第３折曲線
２０…第３屈曲部                    ２１…第４折曲線
２２…把持部                        ２３…第５折曲線
【図１】
2005074087.tif 000003
【図２】
2005074087.tif 000004
【図３】
2005074087.tif 000005
【図４】
2005074087.tif 000006